(57)【要約】【課題】カード裏側面を損傷することなく、連続的にカード表側面の印刷を除去することができる印刷除去装置を提供する。【解決手段】表側面に印刷が施され裏側面または内部に電子情報を担持するカード(1)から印刷を除去する印刷除去装置(8)は、カード(1)を搬送する搬送部(10)と、搬送部(10)によって搬送されているカード(1)に印刷除去液を噴射する除去液噴射部(14)とを備え、搬送部(10)が、表側面を下方に向けたカード(1)を上下から挟持しカード(1)が搬送される搬送経路を規定する複数対の搬送ローラ(24a,24b)を備え、除去液噴射部(14)が、搬送ローラ(24a,24b)に挟持されて搬送されるカード(1)の下方に向けられた表側面に向け下方位置から印刷除去液を噴射する噴射ノズル(26)を備え、印刷除去装置(8)は、さらに、搬送経路をはさんで噴射ノズル(26)と対向した上方位置に設けられた押さえローラ(80)を備えている。【選択図】図３
2010228345.tif 000002
【特許請求の範囲】
【請求項１】
表側面に印刷が施され裏側面または内部に電子情報を担持するカードから前記印刷を除去する印刷除去装置であって、
前記カードを搬送する搬送部と、
該搬送部によって搬送されている前記カードに印刷除去液を噴射する除去液噴射部とを備え、
前記搬送部が、表側面を下方に向けた前記カードを上下から挟持し前記カードが搬送される搬送経路を規定する複数対の搬送ローラを備え、
前記除去液噴射部が、前記搬送ローラに挟持されて搬送される前記カードの下方に向けられた表側面に向け下方位置から印刷除去液を噴射する噴射ノズルを備え、
前記印刷除去装置は、さらに、
前記搬送経路をはさんで前記噴射ノズルと対向した上方位置に設けられた押さえローラを備えている、
ことを特徴とする印刷除去装置。
【請求項２】
前記搬送経路が、該搬送経路に直交する方向に配置された複数枚の前記カードを搬送可能に形成され、
前記噴射ノズルが、前記複数枚のカードの各々の表側面全体に対し、印刷除去液を噴射する、
請求項１に記載の印刷除去装置。
【請求項３】
前記搬送経路の上流端に、複数枚の前記カードを、前記搬送経路に直交する方向に並列配置された状態で順次、供給するカード供給装置を備えている、
請求項２に記載の印刷除去装置。
【請求項４】
前記噴射ノズルが複数、配置され、前記搬送経路に直交する方向に並列配置された複数枚の前記カードの各々の表側面全体に、印刷除去液を噴射する、
請求項３に記載の印刷除去装置。
【請求項５】
前記複数の噴射ノズルが、前記搬送経路に直交する方向に並列配置されている、
請求項４に記載の印刷除去装置。
【請求項６】
前記複数の噴射ノズルが、前記搬送経路に直交する方向でオフセットして配置されている、
請求項４に記載の印刷除去装置。
【発明の詳細な説明】
【技術分野】
【０００１】
本発明は、印刷除去装置に関し、詳細には、プリペイドカードやＩＣカードのような電子情報を担持するカードの表側面に施された印刷を除去する印刷除去装置に関する。
【背景技術】
【０００２】
近年、磁気カード、ＩＣカードのような電子情報を担持したカードが数多く使用されている。このようなカードは、一般に、表側面に絵、文字等の図柄が印刷され、裏側面、または表側面と裏側面の中間層に電子情報を担持した媒体が配置された構成を備えている。
【０００３】
このようなカードは、媒体に担持された電子情報を書き換えることによって、再利用を図ることができるが、その際には、表側面に印刷された図柄を除去する必要がある。
また、新品のカードに印刷を施した際に発生した図柄のズレ等の印刷不良の除去が必要となる場合もある。
【０００４】
このような印刷除去装置としては、カードを作業台に固定し、固定したカードの上方から研磨材を含む印刷除去液を噴射して印刷を除去する装置が知られている（特許文献１参照）。
【先行技術文献】
【特許文献】
【０００５】
【特許文献１】特開２００１−３１５４７６号公報
【発明の概要】
【発明が解決しようとする課題】
【０００６】
しかしながら、上記先行技術の印刷除去装置では、カードの上方から研磨材を含む印刷除去液を噴射して印刷を除去するので、カードの裏側面に印刷除去液が回り込んで、カード裏側面を損傷させてしまうことがあるという問題があった。また、電子情報を担持している媒体がカードの裏側面に配置されている場合には、カード裏側面だけでなく、電子情報担持媒体をも損傷させてしまうことがあるという問題もあった。
【０００７】
また、カードを一枚ずつ作業台に固定して除去作業が行われるので、連続的に除去作業を行うことができないという問題があった。
【０００８】
本発明は、このような問題を解決するためになされたものであり、カード裏側面を損傷することなく、連続的にカード表側面の印刷を除去することができる印刷除去装置を提供することを目的としている。
【課題を解決するための手段】
【０００９】
本発明によれば、
表側面に印刷が施され裏側面または内部に電子情報を担持するカードから前記印刷を除去する印刷除去装置であって、
前記カードを搬送する搬送部と、
該搬送部によって搬送されている前記カードに印刷除去液を噴射する除去液噴射部とを備え、
前記搬送部が、表側面を下方に向けた前記カードを上下から挟持し前記カードが搬送される搬送経路を規定する複数対の搬送ローラを備え、
前記除去液噴射部が、前記搬送ローラに挟持されて搬送される前記カードの下方に向けられた表側面に向け下方位置から印刷除去液を噴射する噴射ノズルを備え、
前記印刷除去装置は、さらに、
前記搬送経路をはさんで前記噴射ノズルと対向した上方位置に設けられた押さえローラを備えている、
ことを特徴とする印刷除去装置が提供される。
【００１０】
このような構成を有する本発明によれば、下方に向けられたカードの表側面（印刷面）に向けて下方位置から印刷除去液が噴射されるので、印刷除去液がカードの裏側面に回り込みにくくなり、電子情報が担持されたカードの裏側面が印刷除去液で損傷を受けることが抑制される。
また、噴射ノズルと対向した上方位置に設けられた押さえローラにより、噴射ノズルから噴射される印刷除去液の水勢でカードが上方に変位することが抑制され、噴射ノズルから噴射される印刷除去液の水勢を利用してカードの表側面の印刷を効率的に除去することができる。
【００１１】
本発明の他の好ましい態様によれば、
前記搬送経路が、該搬送経路に直交する方向に配置された複数枚の前記カードを搬送可能に形成され、
前記噴射ノズルが、前記複数枚のカードの各々の表側面全体に対し、印刷除去液を噴射する。
【００１２】
このような構成によれば、複数枚のカードに対して同時に印刷除去処理を施すことができる。
【００１３】
本発明の他の好ましい態様によれば、
前記搬送経路の上流端に、複数枚の前記カードを、前記搬送経路に直交する方向に並列配置された状態で順次、供給するカード供給装置を備えている。
【００１４】
このような構成によれば、複数枚のカードに対して同時に印刷除去処理を連続的に行うことができる。
【００１５】
本発明の他の好ましい態様によれば、
前記噴射ノズルが複数、配置され、前記搬送経路に直交する方向に並列配置された複数枚の前記カードの各々の表側面全体に、印刷除去液を噴射する。
【００１６】
本発明の他の好ましい態様によれば、
前記複数の噴射ノズルが、前記搬送経路に直交する方向に並列配置されている。
【００１７】
本発明の他の好ましい態様によれば、
前記複数の噴射ノズルが、前記搬送経路に直交する方向でオフセットして配置されている。
【発明の効果】
【００１８】
本発明によれば、カード裏側面を損傷することなく、連続的にカード表側面の印刷を除去することができる印刷除去装置を提供することができる。
【図面の簡単な説明】
【００１９】
【図１】本発明の好ましい形態の印刷除去装置によって印刷が除去されるカードの平面図である。
【図２】図１のカードの概略的な断面図である。
【図３】本発明の好ましい実施形態の印刷除去装置の概略構成を示す図面である。
【図４】図３の印刷除去装置のカード供給部の概略的な正面図である。
【図５】図４のカード供給部の概略的な側面図である。
【図６】図４のカード供給部のカードケースの構成を示す模式的な斜視図である。
【図７】図４のカード供給部のカードケース上部の詳細を示す断面図である。
【図８】図３の印刷除去装置の除去液噴射部の構成を示す模式的な側面図である。
【図９】図３の印刷除去装置に用いられる噴射器の平面図である。
【図１０】図９の噴射器の変形例を示す平面図である。
【発明を実施するための形態】
【００２０】
以下、添付図面を参照して本発明の好ましい実施形態の印刷除去装置について説明する。
図１は、印刷除去装置によって印刷が除去されるカードの一例であるカード１の平面図であり、図２は、カード１の概略的な断面図である。カード１は、５４ｍｍ×８６ｍｍの矩形形状を有し、厚みは、０．２ｍｍ〜０．９ｍｍである。図２に示されているように、カード１は、基材層２の一方の面（表側面）に絵や文字等の図柄が印刷された印刷面４を有し、他方の面（裏側面）に電子データを担持するデータ担持層６が設けられている。カード１のデータ担持層６は、基材層２の裏側面に、磁気層を配置することによって形成されている。
【００２１】
本発明の印刷除去装置は、表側面に印刷が施され裏側面に電子情報が担持されたカードであればどのようなカードにも適用可能であり、カード１以外にも、例えば、基材層２の裏側面にＩＣチップ等のデータ担持手段が埋め込まれているカードや、表側面と裏側面の両方に印刷が施され、中間の基材層２中にデータ担持手段が設けられているカードにも適用可能である。
【００２２】
図３は、本発明の好ましい実施形態の印刷除去装置８の概略構成を示す図面である。印刷除去装置８は、カード１を搬送経路に沿って矢印Ａ方向に搬送する搬送部１０と、搬送経路の上流端にカード１を供給するカード供給部１２と、搬送部１０によって搬送されているカード１の一方の面に印刷除去液を噴射する２箇所の除去液噴射部１４、１４と、除去液噴射部１４、１４の下流側に配置されカード１を洗浄する水洗部１６と、水洗部１６の下流側に配置されカード１を乾燥させる乾燥部１８とを備えている。
【００２３】
図４は、本発明の好ましい実施形態の印刷除去装置８のカード供給部１２の概略的な正面図であり、図５は、カード供給部１２の概略的な側面図であり、図６は、図４のカード供給部１２のカードケース３４の構成を示す模式的な斜視図であり、図７は、カードケース３４の上部の構造を詳細に示す断面図である。
【００２４】
カード供給部１２は、カードケース３４と、カードケース３４の下方に設けられたカード押出し部３６と、カードケース３４の上方に設けられたカード移送部２０と、カード移送部２０から移送されたカード１を搬送部１０まで搬送するベルトコンベヤ２２とを備えている。
【００２５】
カードケース３４は、細長い直方体形状の、上下が開いた筒状の箱体であり、内部に複数枚のカード１を上下方向に積層状態で収容することができるように構成されている。本実施形態では、カード１は印刷が施された表側面を下方に向けた状態で積層配置される。カードケース３４の最上部には、上限センサー（図示せず）が設けられており、カードケース３４に収容されたカード積層体の最上部の位置、すなわち最も上に位置するカードを検出することができるようになっている。図６および図７に示されているようにカードケース３４の上端の短辺側の両端部は外方に向って広がっており、カードケース３４内にカード１を容易に入れることができるようになっている。
【００２６】
カードケース３４は、図４に示されているように、カードの搬送経路と直交する方向に５台が並列状態に配置されている。各カードケース３４の下方には、カード押出し部３６が配置され、カードケース３４内に積層配置されたカード１を下方から押し上げるように構成されている。
【００２７】
図５および図６に示されているように、カード押出し部３６は、カードケース３４の下部に設けられている、カードを下方から押し上げるためのカード押出し板３８と、カード押出し板３８を上昇駆動させるためのエレベータモータ４０と、エレベータモータ４０の出力軸に連結され、エレベータモータ４０の上方に向って延びるシャフト４２と、カード押出し板３８をシャフト４２に連結するための連結部４４とを備えている。シャフト４２の外周には、雄ネジが切られている。連結部４４は、連結板４６と、連結板４６の一端部から上方に直立している、カード押出し板３８と連結板４６とを連結するための柱４８と、連結板４６の他端部に設けられ、シャフト４２を通すことができるようになっている孔５０とを備える。孔５０の内周には、シャフト４２の雄ネジと噛合する雌ネジが切られている。
図６に示されているように、カードケース３４の前面には、カードケース３４のほぼ全長にわたって上下方向に延びるスリット５２が設けられており、連結板４６がシャフト４２に沿って上下するときに、このスリット５２に沿って上下動することができるようになっている。
【００２８】
図５に示されているように、カード移送部２０は、カードケース３４内に収容されたカード積層体の最上部からカードを１枚取り出して把持するための真空パッド５４と、真空パッド５４を水平方向に前後動させるためのリニア駆動装置５６とを備えている。図７に示すように、真空パッド５４は、カード１と平行な吸引面５８を有し、この吸引面５８には空気を通すための複数の小孔（図示せず）が設けられている。
【００２９】
図７に示されているように、カードケース３４の上部には、カード１を取り出すための矩形開口部を有する蓋部材６０が設けられており、矩形開口部は、２つの長辺と２つの短辺を有している。この２つの短辺部分には、カードケース３４に収納されたカード積層体の最上部のカードを上に凸に撓ませて、最上部のカードのみをカード積層体から分離するための２枚のカード分離板６２ａ、ｂが取り付けられている。
【００３０】
カード分離板６２ａ、ｂは、ステンレス、鋼、エンジニアプラスチックのような弾性を有する材料で作られた板状部材であり、矩形状の水平部６３ａ、ｂと、水平部６３ａ、ｂのそれぞれの一端から下方に延びる垂下部６５ａ、ｂとを有し、水平部６３ａ、ｂと垂下部６５ａ、ｂとの間には曲げ部６４が形成されている。垂下部６５ａ、ｂは、カードケース３４の内側に向って凸状となるように湾曲しながら下方に向って延びている。カード分離板６２ａ、ｂは、垂下部６５ａ、ｂが蓋部材６０の開口内に配置されるように、蓋部材６０の両方の開口端に水平部６３ａ、ｂがそれぞれ載置されて、蓋部材６０に取付けられている。カード分離板６２ａは、水平部６３ａに、カードケース３４の長辺と平行なスリット（図示せず）を有し、スリット内を通る留め具６６ａによって、蓋部材６０に固定されている。カード分離板６２ｂは、水平部６３ｂに、孔（図示せず）を有し、この孔を通る留め具６６ｂによって、蓋部材６０に固定されている。２枚のカード分離板６２ａ、ｂの垂下部６５ａ、ｂの下端間の距離は、カードケース３４の外方に向って広がっている開口部の長辺の長さよりも長くなっており、２枚のカード分離板６２ａ、ｂの、それぞれの曲げ部６４間の距離は、カード１の長辺の長さよりも短くなっている。また、垂下部６５ａ、ｂの下端部はカードケース３４の外方に向って広がっている両端部の上端部と上下方向ほぼ同じ高さでカード長辺方向外方側に位置しており、カード１が確実にカードケース３４からカード分離板６２ａ、ｂ間に移動するようになっている。水平部６３ａ、ｂの面の垂線と、カード分離板６２ａ、ｂの湾曲部の接線とのなす角度（図７中のθ）は、５〜３０度の間である。
【００３１】
図７に示されているように、カード分離板６２ａの水平部６３ａの上には、更に２枚取り防止板６８が重ねて配置されている。２枚取り防止板６８は、カードケース３４の長辺方向に平行なスリット（図示せず）を有しており、このスリットが分離板６２ａのスリットと整合されるように、２枚取り防止板６８が、分離板６２ａの水平部６３ａ上に配置されている。２枚取り防止板６８は、スリットを通る留め具６６ａによって、蓋部材６０に固定されている。
【００３２】
カード分離板６２ａは、水平部６３ａの両端部のうち垂下部６５ａが延びている端部とは反対側の端部、すなわち分離板６２ａの後方端部から上方に向って垂直に延びる垂直部６７を更に有し、この垂直部の上端部６９で、留め具６６ｃによって分離板取付台７０に固定されている。分離板取付台７０は、フランジ７２と調整軸７４を介して、蓋部材６０上に固定された固定台７６に取付けられている。調整軸７４は、一端が分離板取付台７０の背面、すなわち分離板６２ａの垂直部６７が取り付けられている面と反対側の面に垂直に取り付けられて、カードケース３４の長辺方向と平行な方向に延びている。調整軸７４の、分離板取付台７０の後方部分には、軸の周囲にフランジ７２が設けられている。調整軸７４の、フランジ７２が設けられている部分よりも後方部分は、固定台７６を貫いて延びており、終端部に、前後調整ネジ７８が螺合されている。
【００３３】
図７に示されているように、カード分離板６２ａの水平部６３ａ上に、２枚取り防止板６８が、留め具６６ａによって、取付けられている。２枚取り防止板６８は、カード分離板６２の曲げ部６４よりも蓋部材６０の開口部の内方に水平方向に突き出ており、カード積層体から最上部のカードを取り出す際に２枚目のカードの一端を上方から押さえて、カードケース３４に収容されたカード積層体から最上部のカードを確実に１枚のみ取り出せるようになっている。
【００３４】
図３に示されているように、搬送部１０には、回転駆動される上下の搬送ローラ２４ａ、２４ｂの対が多数、設けられ、カードが搬送される搬送経路が規定されている。この搬送経路は、カード供給部１２の下流端から印刷除去装置８の略全長にわたって延び、搬送ローラ２４ａ、２４ｂの回転駆動により、カード供給部１２から供給されたカード１を、２つの除去液噴射部１４、１４、水洗部１６、そして乾燥部１８を通過させて搬送するように構成されている。
各搬送ローラ２４ａ、２４ｂは、搬送経路と直交する方向に長く延びており、横方向５列に並列配置されたカード１を並列状態で搬送することができるように構成されている。
【００３５】
各除去液噴射部１４、１４は、搬送経路の下方に配置され複数の噴射ノズル２６を備えた噴射部材２８が配置され、噴射ノズル２６から搬送ローラに挟持されて搬送されるカード１の下方に向けられた表側面に向け下方から印刷除去液を噴射しカード１の表側面の印刷を除去するように構成されている。
【００３６】
本実施形態では、印刷除去液は、水等の液体に研磨材を含有させたものであり、研磨材としては、１００〜１０００番の粒度のものを用い、噴射する印刷除去液の量は、カード１の表側面を厚さ０．４〜２μｍ程度除去することができる量に調整される。
【００３７】
印刷除去の好ましい条件としては、例えば、２００番の研磨材で、吐出圧０．４ＭＰａ、カード搬送速度０．５ｍ／分、または、８０番の研磨材で、吐出圧０．４ＭＰａ、カード搬送速度０．５〜２ｍ／分である。
【００３８】
水洗部１６は、複数の水洗ノズル３０が搬送経路の上下に配置され、搬送経路に沿って並列状態で搬送されるカード１の各々に向け、図３に一点鎖線で示すように洗浄水を噴射することによって、カード１に付着した研磨材や汚れ等を除去するように構成されている。
【００３９】
図３に示すように、水洗部１６は、搬送方向に沿って配置された３組の洗浄ユニットを備えて、３段階の水洗を行うように構成されている。水洗ノズル３０からの好ましい水圧は、０．１ＭＰａ〜０．６ＭＰａである。
【００４０】
乾燥部１８は、搬送経路の上下に設けられた複数のブロワ３２から、搬送経路に沿って並列状態で搬送されるカード１の各々に向けて温風を吹き付けることによって、カード１を乾燥させるように構成されている。
【００４１】
次に、除去液噴射部１４の構造について詳細に説明する。
図８は、本発明の好ましい実施形態の印刷除去装置８の除去液噴射部１４の構成を示す模式的な側面図である。
上述したように、除去液噴射部１４では、上下に対となって配置された搬送ローラ２４ａ、２４ｂによって規定されるカード１の搬送経路の下方に、複数の噴射ノズル２６を備えた噴射部材２８が配置されている。
【００４２】
図８に示されているように、上下の搬送ローラ２４ａ、２４ｂの対は、噴射ノズル２６の上方には配置されていない。噴射ノズル２６の上方位置では、上下の搬送ローラ２４ａ、２４ｂの対に代えて、搬送経路の上方に配置された押さえローラ８０のみが配置されている。
【００４３】
このように、搬送経路をはさんで噴射ノズル２６と対向した上方位置に設けられた押さえローラ８０が配置されているので、噴射ノズル２６から噴射される印刷除去液の勢いでカード１が上方に変位することが押さえローラ８０により抑制される。
【００４４】
図９は、本発明の好ましい実施形態の印刷除去装置８に用いられる噴射部材２８の平面図である。噴射部材２８は、搬送経路の両端に沿ってカード搬送方向に延びる左右の端パイプ８２と、左右の端パイプ８２間で所定間隔をあけて搬送経路に直交する方向に延びる７本のノズル用パイプ８４とを備えている。各ノズル用パイプ８４の上面には、７つの噴射ノズル２６が等間隔に並列配置されている。したがって、カード搬送方向に直交する方向に沿って、７列のノズル列が形成されることなる。
【００４５】
噴射部材２８は、一方の端パイプ８２に、図示しないポンプから研磨材を含む印刷除去液が圧送されるように構成されている。噴射部材２８では、端パイプ８２とノズル用パイプ８４は流体連通しているので、両方の端パイプ８２に流入した加圧された印刷除去液が、各ノズル用パイプ８４に流入し、噴射ノズル２６から噴射することになる。
【００４６】
図９に示されているように、本実施形態の噴射部材２８では、最下流のノズル用パイプ８４（図９の最も右側）以外のノズル用パイプに取付けられた噴射ノズル２６は、全体として正方配列をなすように、即ち、搬送経路に沿った方向に整列するように配置されている。また、最下流のノズル用パイプ８４では、噴射ノズル２６が、正方配列から半ピッチずれるように配置されている。
【００４７】
隣接するノズル用パイプ８４の間隔、ノズル用パイプ８４上の噴射ノズル２６の間隔等は、図９に示されているように搬送経路に沿って並列状態で搬送される５枚のカード１の各々の下方に向けられた表側面全体に、印刷除去液が均一な圧力で吹き付けられるように設定されている。
【００４８】
上述したように、本実施形態の除去液噴射部１４では、カード搬送方向に直交する方向に延びる複数のノズル列が設けられているので、搬送経路に沿って搬送されるカード１の下方を向けられた表側面には、複数回にわたり、印刷除去液が噴射される。
この結果、本実施形態では、印刷面４が、例えば、約０．４〜０．６μｍずつ徐々に削られることによって除去されるので、一度の研磨で印刷面４全体を除去する場合に比べて均一に除去される。この結果、印刷面除去後のカードの厚みが均一となり、また、カードの表面粗さが均一となる。
【００４９】
本実施形態では、噴射部材２８のノズル用パイプ８４には、所定間隔で、噴射ノズル２６を取付け可能なノズル取付部８６が設けられているので、噴射ノズル２６の配置を、カード１の大きさ等に応じて、適宜変更することが可能となっている。
【００５０】
次に、本実施形態の印刷除去装置８の動作について説明する。
最初に、印刷面を除去するカード１を、印刷が施されている表側面が下方に向くようにして、各カードケース３４内に積層配置する。次いで、カードの寸法、材質、厚み等に合わせて、カード分離板６２ａ、ｂ間の距離を調整する。先ず、カード分離板６２ａと２枚取り防止板６８とをカードケース３４の長辺方向に自在に移動させることができるように、留め具６６ａを緩めておく。前後調整ネジ７８を回転させると、調整軸７４が伸縮するようになっており、調整軸７４が伸びると、分離板取付台７０が前方に押し出されて、カード分離板６２ａおよび２枚取り防止板６８とが前方、すなわちカードケース３４の開口部の内方に移動するようになっている。カード分離板６２ａを前後に移動させて、２枚のカード分離板６２ａ、ｂの、それぞれの曲げ部６４間の距離を調整することができる。分離板６２ａを移動しないように固定して、２枚取り防止板６８のみを前後に移動させることによって、２枚取り防止板６８の開口部内への突出長さを調整することもできる。
【００５１】
各カードケース３４にカード積層体を収容し、エレベータモータ４０を作動させると、カード枚数に係わらず、カードケース３４の上限センサーによって、各カードケース３４の最上部のカード１の高さが常に同じ高さになるように、カード積層体がカード押出し部３６によって上方に押し出される。最上部のカード１の位置がカードケース３４の上限センサーと同じ高さになるまでカード押出し部３６によって自動的に上方に押し上げられ、上限センサーが最上部のカード１を検知すると、カード押出し部３６のエレベータモータ４０の回転が停止してカード押出し板３８は停止する。カードが上方に押上げられるときに、カードケース３４に収容されたカード積層体の上部のカードは、２枚のカード分離板６２ａ、ｂの間を通る。２枚のカード分離板６２ａ、ｂは、蓋部材６０の開口に向って狭くなるように湾曲面を形成しているので、カード１がカード分離板６２ａ、ｂを通って上方に移動するにつれて、カード１は上方に向って凸に撓む。カード分離板６２ａ、ｂの上方に移動するほど、カードの撓み方が大きくなるため、最上部のカードがその下にあるカードより大きく撓むことによって隙間が空き、最上部のカード１枚のみがカード積層体から分離された状態になる。
【００５２】
次いで、カード移送部２０の真空パッド５４がリニア駆動装置５６によって移動し、カードケース３４の中心部に位置決めされ、下降して、円弧状のカード１を真空吸着する。真空パッド５４が作動されると、真空パッド５４の吸引面５８に設けられている小孔から空気が吸入されるので、カード１が吸引面５８上に吸着される。カード１を吸着した真空パッド５４は、リニア駆動装置５６によって前方へ移動し、ベルトコンベヤ２２の上方の所定の位置まで移動して停止する。真空パッド５４が停止すると、真空吸引が停止されて、カード１が真空パッド５４から落下して、カード１がベルトコンベヤ２２上に配置される。
【００５３】
並列配置されたカード移送部２０の５つのリニア駆動装置５６は全て同期して作動するようになっているので、ベルトコンベヤ２２上には、５枚のカード１が搬送方向に直交する方向に並列して配置される。
【００５４】
各カード１は、ベルトコンベヤ２２によって、上下の搬送ローラ２４ａ、２４ｂによって規定された搬送経路の上流端に搬送され、最上流の上下の搬送ローラ２４ａ、２４ｂによって挟持されて、搬送経路に沿って、先ず、除去液噴射部１４に搬送される。各カード１は、各カード１の中心が各噴射ノズル２６の中心の上方を通るように、除去液噴射部１４に搬送される。
【００５５】
除去液噴射部１４では、搬送経路に沿って搬送されるカードの下方に向けられた表側面に、噴射ノズル２６から研磨材を含む印刷除去液が噴射され印刷面４が除去される。本実施形態では、除去液噴射部１４が搬送経路に沿って２箇所設けられているので、上記印刷除去液による印刷の除去が、それぞれの除去液噴射部１４で行われる。
【００５６】
印刷面が除去されたカード１は、洗浄部１６に搬送され、水洗ノズル３０から噴射される水によって、付着した研磨材や汚れ等が除去される。次いで、カード１は、乾燥部１８に搬送され、ブロワ３２によって両面が乾燥される。
【００５７】
本発明は、以上の実施の形態に限定されることなく、特許請求の範囲に記載された発明の範囲内で種々の変更が可能であり、それらも本発明の範囲内に包含される。
【００５８】
例えば、上記実施形態の噴射部材２８では、噴射ノズル２６が、全体として正方配列をなすように、即ち、搬送経路に沿った方向に整列するように配置されているが、図１０の噴射部材２８のように、噴射ノズル２６は、搬送方向下流側に向かって徐々にオフセットしていくように配置された構成でも良い。
【符号の説明】
【００５９】
１  カード
２  基材層
４  印刷面
６  データ担持層
８  印刷除去装置
１０  搬送部
１２  カード供給部
１４  除去液噴射部
１６  水洗部
１８  乾燥部
２０  カード移送部
２２  ベルトコンベヤ
２４ａ、ｂ  搬送ローラ
２６  噴射ノズル
２８  噴射部材
３０  水洗ノズル
３２  ブロワ
３４  カードケース
３６  カード押出し部
３８  カード押出し板
４０  エレベータモータ
４２  シャフト
４４  連結部
４６  連結板
４８  柱
５０  孔
５２  スリット
５４  真空パッド
５６  リニア駆動装置
５８  吸引面
６０  蓋部材
６２ａ、ｂ  カード分離板
６３ａ、ｂ  水平部
６４  曲げ部
６５ａ、ｂ  垂下部
６６ａ、ｂ、ｃ  留め具
６７  垂直部
６８  ２枚取り防止板
６９  上端部
７０  分離板取付台
７２  フランジ
７４  調整軸
７６  固定台
７８  前後調整ネジ
８０  押さえローラ
８２  端パイプ
８４  ノズル用パイプ
８６  ノズル取付部
【図１】
2010228345.tif 000003
【図２】
2010228345.tif 000004
【図３】
2010228345.tif 000005
【図４】
2010228345.tif 000006
【図５】
2010228345.tif 000007
【図６】
2010228345.tif 000008
【図７】
2010228345.tif 000009
【図８】
2010228345.tif 000010
【図９】
2010228345.tif 000011
【図１０】
2010228345.tif 000012